(57)【要約】【課題】  波長分離機能を有するプリズムを１つとして調整工数を大幅に削減することができる光学ヘッドを提供する。【解決手段】  光学ヘッドは、光源１と光源２と光源３とビームスプリッタ２２０とを具備しており、ビームスプリッタ２２０は、プリズム２７とプリズム２８とプリズム２５とプリズム２６と、光学膜３２と、光学膜２９と、光学膜３０と、光学膜３１とを含んでおり、光学膜２９〜３２は、プリズム２７へ入射した第１波長を有する光源１からの光束と、第２プリズム２８へ入射した第２波長を有する光源２からの光束と、プリズム２５へ入射した第３波長を有する光源３からの光束とを透過または反射するための所望の光学特性を有している。【選択図】  図１
2004234818.tif 000002
【特許請求の範囲】
【請求項１】
第１波長と第１光軸とを有する第１光源と、
前記第１波長と異なる第２波長と、前記第１光軸と交差する第２光軸とを有する第２光源と、
前記第１波長および前記第２波長と異なる第３波長と、前記第１光軸と略平行な第３光軸とを有する第３光源と、
前記第１光源、前記第２光源および前記第３光源からの光束を透過または反射するために前記第１光源、前記第２光源および前記第３光源によって囲まれるように設けられたビームスプリッタとを具備しており、
前記ビームスプリッタは、前記第１光源からの光束が入射するように設けられた第１プリズムと、
前記第２光源からの光束が入射するように設けられた第２プリズムと、
前記第３光源からの光束が入射するように設けられた第３プリズムと、
前記第１プリズムと前記第３プリズムとの間に前記第２プリズムと対抗するように設けられた第４プリズムと、
前記第１プリズムと前記第２プリズムとの間に形成された第１光学膜と、
前記第２プリズムと前記第３プリズムとの間に形成された第２光学膜と、
前記第３プリズムと前記第４プリズムとの間に形成された第３光学膜と、
前記第４プリズムと前記第１プリズムとの間に形成された第４光学膜とを含んでおり、
前記第１乃至前記第４光学膜は、前記第１プリズムへ入射した前記第１波長を有する前記第１光源からの光束と、前記第２プリズムへ入射した前記第２波長を有する前記第２光源からの光束と、前記第３プリズムへ入射した前記第３波長を有する前記第３光源からの光束とを透過または反射するための所望の光学特性を有していることを特徴とする光学ヘッド。
【請求項２】
前記第１乃至前記第４プリズムは、略三角柱形状をしており、
前記ビームスプリッタは、前記第１乃至前記第４プリズムの底面と上面と側面の１つとによって形成される略６面体形状をしている、請求項１記載の光学ヘッド。
【請求項３】
前記第１光学膜と前記第３光学膜とは、同一平面上に形成され、互いに同一の光学特性を有しており、
前記第２光学膜と前記第４光学膜とは、同一平面上に形成され、互いに同一の光学特性を有している、請求項１記載の光学ヘッド。
【請求項４】
前記第１波長、前記第２波長および前記第３波長は、７５０ｎｍ〜８５０ｎｍ、６００ｎｍ〜７００ｎｍ、４００ｎｍ〜５００ｎｍおよび３００ｎｍ〜４００ｎｍの４種類の波長のうち互いに異なる３種類の波長である、請求項１記載の光学ヘッド。
【請求項５】
前記第１光軸と前記第２光軸とは、略直交しており、
前記第１光軸と前記第３光軸とは、略１８０度の角度をなしている、請求項１記載の光学ヘッド。
【請求項６】
前記第１乃至前記第４光学膜は、入射する光束の波長に応じてその反射率または透過率が変化する、請求項１記載の光学ヘッド。
【請求項７】
前記第１光学膜および前記第３光学膜は、第１閾値以上の波長を有する光束を透過し、前記第１閾値よりも短い波長を有する光束を反射する光学特性を有しており、
前記第２光学膜および前記第４光学膜は、前記第１閾値よりも高い第２閾値以上の波長を有する光束を反射し、前記第２閾値よりも短い波長を有する光束を透過する光学特性を有している、請求項１記載の光学ヘッド。
【請求項８】
前記第１乃至前記第４プリズムの少なくとも１つには、光束の略中心部分の光量を減少させるための反射膜が形成されている、請求項１記載の光学ヘッド。
【請求項９】
前記反射膜は、帯状、円状および楕円状のいずれかの形状をしている、請求項８記載の光学ヘッド。
【請求項１０】
前記ビームスプリッタには、前記ビームスプリッタから出射する光束の光束径を制限するための光束径制限膜が形成されている、請求項１記載の光学ヘッド。
【請求項１１】
前記第１乃至前記第４プリズムは、ガラス、樹脂および透明なセラミックから選択される少なくとも１つによって構成されている、請求項１記載の光学ヘッド。
【請求項１２】
前記第１乃至前記第３光源から出射した光束を平行光に変換するために設けられたコリメートレンズをさらに具備しており、
前記コリメートレンズは、前記第４プリズムと貼り合わせられるように設けられている、請求項１記載の光学ヘッド。
【請求項１３】
前記第１乃至前記第３光源から出射した光束を平行光に変換するために設けられたコリメートレンズをさらに具備しており、
前記コリメートレンズは、前記第１光源と前記第１プリズムとの間、前記第２光源と前記第２プリズムとの間および前記第３光源と前記第３プリズムとの間に配置されている、請求項１記載の光学ヘッド。
【請求項１４】
前記第１ないし前記第３プリズムは、前記光源が有する非点収差をキャンセルするように形成された入射面を有しており、
前記第４プリズムは、前記光源が有する前記非点収差をキャンセルするように形成された出射面を有している、請求項１記載の光学ヘッド。
【請求項１５】
第１波長と第１光軸を有する第１光源と、
前記第１波長と異なる第２波長と、前記第１光軸と交差する第２光軸とを有する第２光源と、
前記第１波長および前記第２波長と異なる第３波長と、前記第１光軸と略平行な第３光軸とを有する第３光源と、
前記第１光源、前記第２光源および前記第３光源からの光束を透過または反射するために前記第１光源、前記第２光源および前記第３光源によって囲まれるように設けられたビームスプリッタとを具備しており、
前記ビームスプリッタは、前記第１光源からの光束が入射するように設けられた第１プリズムと、
前記第２光源からの光束が入射するように設けられた第２プリズムと、
前記第３光源からの光束が入射するように設けられた第３プリズムと、
前記第１プリズムと前記第２プリズムとの間に形成された第１光学膜と、
前記第１プリズムと前記第３プリズムとの間に形成された第２光学膜とを含んでおり、
前記第１光学膜は、前記第１プリズムへ入射した前記第１波長を有する前記第１光源からの光束と、前記第２プリズムへ入射した前記第２波長を有する前記第２光源からの光束とを透過または反射するための第１光学特性を有しており、
前記第２光学膜は、前記第１プリズムへ入射した前記第１波長を有する前記第１光源からの光束と、前記第２プリズムへ入射した前記第２波長を有する前記第２光源からの光束と、前記第３プリズムへ入射した前記第３波長を有する前記第３光源からの光束とを透過または反射するための前記第１光学特性と異なる第２光学特性を有していることを特徴とする光学ヘッド。
【発明の詳細な説明】
【技術分野】
【０００１】
本発明は、ディスク状の記録媒体に光スポットを投影して、光学的に情報を記録再生するディスク記録再生装置に用いる光学ヘッドに関する。
【背景技術】
【０００２】
近年、ディスク記録再生装置は、ＣＤ−ＲＯＭ、ＣＤ−Ｒ、ＭＤ、ＤＶＤ−ＲＡＭ、ブルーレイディスク等のディスク状の記録媒体を記録再生するものであり、その用途は年々多様化するとともに共に益々高密度・高性能・高品質・高付加価値化するとともに小型化および低コスト化も求められている。特に記録可能なディスク記録再生装置においては、１台で複数種類の規格のディスクの記録再生が求められるとともに、ポータブル用・車載用への需要は大きく増加傾向にあるため、より一層の小型・薄型・高性能化が求められている。
【０００３】
従来、ディスク記録再生装置に設けられた光学ヘッドに関する技術としては、数多くの報告がなされている（例えば特開２０００−７６６９８号公報（特許文献１）参照）。以下、図面を参照しながら、従来の光磁気ディスク用の光学ヘッドについて説明を行う。
【０００４】
図２３は従来の光学ヘッド９０の構成を示す概略図であり、図２４は従来の光学ヘッド９０に設けられた光検出器９５の構成を示す概略図である。図２３において、１は７５０ｎｍ〜８５０ｎｍの光束を発光する半導体レーザ、２は６００ｎｍ〜７００ｎｍの光束を発光する半導体レーザ、３は４００ｎｍ〜５００ｎｍの光束を発光する半導体レーザである。５は波長分離膜４を有したプリズム、７は波長分離膜６を有したプリズムである。８はコリメートレンズ、１０は偏向分離膜９を有した偏光ビームスプリッタ、１１はλ／４板、１２は対物レンズ、１３は情報記録媒体、１４は非点収差を発生する検出レンズ、９５はサーボ信号およびＲＦ信号を検出する光検出器である。また図２３において１６と１７とは検出レンズ１４により発生した非点収差による前側焦点と後側焦点とである。光検出器１５に形成された受光面１５ａは図２３に示すＺ方向に沿って位置する前側焦点１６と後側焦点１７との略中間に位置している。
【０００５】
図２４は光検出器９５の具体的な構成を示す図であり、図２４において１８、
１９、２０および２１は受光領域、２２は受光領域上に形成された光スポットである。受光領域１８、１９、２０および２１において受光された光の光量を加算器２３によって全て加算してＲＦ信号を検出する。また、受光領域１８および１９において受光された光の光量を加算した信号と、受光領域２０および２１において受光された光の光量を加算した信号とを減算器２４によって差動をとることでいわゆる非点収差法によるフォーカスエラー信号の検出が可能となる。また、受光領域１９および２０において受光された光の光量を加算した信号と、受光領域１８および２１において受光された光の光量を加算した信号とを減算器２５０で差動をとることでいわゆるプッシュプル法によるトラッキングエラー信号の検出が可能となる。
【０００６】
図２５（ａ）〜図２５（ｃ）は、検出レンズ１４によって光検出器１５の受光面１５ａ上に形成される光スポットの形状を示した図である。
【０００７】
図２５（ａ）は、情報記録媒体１３と対物レンズ１２とが近づいた状態のときに受光面１５ａ上に形成される光スポットの形状を示した図であり、図２５（ｃ）は情報記録媒体１３と対物レンズ１２とが遠ざかった状態のときに受光面１５ａ上に形成される光スポットの形状を示した図である。また、図２５（ｂ）は、図２５（ａ）と図２５（ｃ）との略中間の状態でありジャストフォーカスの状態のときに受光面１５ａ上に形成される光スポットの形状を示した図である。
【０００８】
以上のように構成された従来の光学ヘッド９０の動作を説明する。
【０００９】
半導体レーザ１から発せられた７５０ｎｍ〜８５０ｎｍの波長を有する光束（赤外光）は、波長分離膜４によって反射されＣＤの再生あるいはＣＤ−Ｒの記録のために使用される。このとき、波長分離膜４は、図２６の曲線９１に示すように約７００ｎｍ以上の波長を有する光束は反射し、７００ｎｍよりも短い波長を有する光束は透過する構成となっている。半導体レーザ２から発せられた６００ｎｍ〜６８０ｎｍの光束（赤色光）は波長分離膜４を透過してＤＶＤ−ＲＯＭの再生およびＤＶＤ−ＲＡＭ、ＤＶＤ−Ｒ、ＤＶＤ−ＲＷ等の記録再生のために使用される。また半導体レーザ３から発せられた４００ｎｍ〜５００ｎｍの光束（青色光）は波長分離膜６によって反射され、ブルーレーザ用光ディスクの記録再生のために使用される。このとき波長分離膜６は図２６に示すように５００ｎｍ以上の波長を有する光束は透過する構成となっている。
【００１０】
半導体レーザ１〜３のいずれかから出射した発散光束はコリメートレンズ８に入射して平行光束に変換され、ビームスプリッタ１０に形成された偏光分離膜９を透過してλ／４板１１に入射する。半導体レーザ１〜３の偏光方向は図２３の紙面に平行な方向（図２３中矢印の方向）に設定してあり、発散光束が偏光分離膜９を透過するような設定となっている。λ／４板１１に入射した直線偏光の平行光束は円偏光となり対物レンズ１２に入射して情報記録媒体１３上に直径１ミクロン以下の光スポットを形成する。そして、情報記録媒体１３からの反射光束は逆の経路をたどりλ／４板１１に入射する。
【００１１】
λ／４板１１に入射するときは円偏光であるが、λ／４板１１を透過することにより図２３の紙面に直交する方向に沿って偏光する直線偏光となり、偏光分離膜９によって反射されて検出レンズ１４に入射する。検出レンズ１４の第１面は凸レンズとなっており、第２面はいわゆるシリンドリカル凹レンズであり図２３の紙面に平行な面に対して略４５度の角度でシリンドリカル軸が設定されているため、非点収差はシリンドリカル軸の方向と、シリンドリカル軸と直交する方向とに発生する（図２５（ａ）〜図２５（ｃ）参照）。検出レンズ１４を透過した光束は光検出器９５に入射する。
【００１２】
対物レンズ１２のフォーカスサーボは、図２７（ａ）に示すように減算器２４から出力されるフォーカスエラー信号Ｓ９１（いわゆるＳ時信号）とＧＮＤとの交点ＦＰに収束することとなる。同様に対物レンズ１２のトラッキングエラー信号は図２７（ｂ）に示すように減算器２５０から出力されるトラッキングエラー信号Ｓ９２とＧＮＤとの交点ＴＰに収束することとなる。
【００１３】
また、ＲＦ信号は、情報記録媒体１３からの反射光量の変化に基づいて検出することができ、加算器２３からの出力信号の演算を行うこととなる。
【特許文献１】特開２０００−７６６９８号公報
【発明の開示】
【発明が解決しようとする課題】
【００１４】
しかしながら上記の従来の構成では、波長分離機能を得るためにプリズム５と７との２つのプリズムを設ける必要があるため、光学ヘッドを小型薄型化することができないという問題がある。また、プリズム５と７との２つのプリズムを光学台（図示せず）に精度よく張り付けることが難しくかつ温度変化のため精度を維持することが難しいという問題がある。さらに、プリズムが２つ必要となるので低コスト化ができないという問題がある。
【００１５】
また、プリズム５および７の２個のプリズムを設けなければならないため、半導体レーザ１および２の位置とコリメータレンズ８の位置との間の距離が遠くなってしまう。このため、コリメートレンズ８に取り込める半導体レーザ１および２の光量が少なくなってしまい、記録パワーが不足するという問題、あるいは記録パワーを補うために高出力の半導体レーザを用いなければならないのでコストが大幅に上昇するという問題がある。さらには高出力の半導体レーザを用いてレーザ電流を上昇させることで半導体レーザ自身の発熱量が上昇するので、半導体レーザ自身の信頼性が悪化するという問題がある。
【００１６】
本発明の目的は、３つの光源より構成された光学ヘッドにおいても波長分離機能を有するプリズムを１つとして調整工数を大幅に削減するとともに小型薄型化および低消費電力化を可能とし、小型高精度な光学ヘッドを提供し、小型高精度なディスク記録再生装置を実現するとともに、高精度な記録・再生特性を実現することにある。
【課題を解決するための手段】
【００１７】
本発明に係る光学ヘッドは、第１波長と第１光軸とを有する第１光源と、前記第１波長と異なる第２波長と、前記第１光軸と交差する第２光軸とを有する第２光源と、前記第１波長および前記第２波長と異なる第３波長と、前記第１光軸と略平行な第３光軸とを有する第３光源と、前記第１光源、前記第２光源および前記第３光源からの光束を透過または反射するために前記第１光源、前記第２光源および前記第３光源によって囲まれるように設けられたビームスプリッタとを具備しており、前記ビームスプリッタは、前記第１光源からの光束が入射するように設けられた第１プリズムと、前記第２光源からの光束が入射するように設けられた第２プリズムと、前記第３光源からの光束が入射するように設けられた第３プリズムと、前記第１プリズムと前記第３プリズムとの間に前記第２プリズムと対抗するように設けられた第４プリズムと、前記第１プリズムと前記第２プリズムとの間に形成された第１光学膜と、前記第２プリズムと前記第３プリズムとの間に形成された第２光学膜と、前記第３プリズムと前記第４プリズムとの間に形成された第３光学膜と、前記第４プリズムと前記第１プリズムとの間に形成された第４光学膜とを含んでおり、前記第１乃至前記第４光学膜は、前記第１プリズムへ入射した前記第１波長を有する前記第１光源からの光束と、前記第２プリズムへ入射した前記第２波長を有する前記第２光源からの光束と、前記第３プリズムへ入射した前記第３波長を有する前記第３光源からの光束とを透過または反射するための所望の光学特性を有していることを特徴とする。
【００１８】
本発明に係る他の光学ヘッドは、第１波長と第１光軸を有する第１光源と、前記第１波長と異なる第２波長と、前記第１光軸と交差する第２光軸とを有する第２光源と、前記第１波長および前記第２波長と異なる第３波長と、前記第１光軸と略平行な第３光軸とを有する第３光源と、前記第１光源、前記第２光源および前記第３光源からの光束を透過または反射するために前記第１光源、前記第２光源および前記第３光源によって囲まれるように設けられたビームスプリッタとを具備しており、前記ビームスプリッタは、前記第１光源からの光束が入射するように設けられた第１プリズムと、前記第２光源からの光束が入射するように設けられた第２プリズムと、前記第３光源からの光束が入射するように設けられた第３プリズムと、前記第１プリズムと前記第２プリズムとの間に形成された第１光学膜と、前記第１プリズムと前記第３プリズムとの間に形成された第２光学膜とを含んでおり、前記第１光学膜は、前記第１プリズムへ入射した前記第１波長を有する前記第１光源からの光束と、前記第２プリズムへ入射した前記第２波長を有する前記第２光源からの光束とを透過または反射するための第１光学特性を有しており、前記第２光学膜は、前記第１プリズムへ入射した前記第１波長を有する前記第１光源からの光束と、前記第２プリズムへ入射した前記第２波長を有する前記第２光源からの光束と、前記第３プリズムへ入射した前記第３波長を有する前記第３光源からの光束とを透過または反射するための前記第１光学特性と異なる第２光学特性を有していることを特徴とする。
【発明の効果】
【００１９】
本発明によれば、３つの光源より構成された光学ヘッドにおいても波長分離機能を有するプリズムを１つとして調整工数を大幅に削減するとともに小型薄型化および低消費電力化を可能とし、小型高精度な光学ヘッドを提供し、小型高精度なディスク記録再生装置を実現するとともに、高精度な記録・再生特性を実現することができる。
【発明を実施するための最良の形態】
【００２０】
本実施の形態に係る光学ヘッドにおいては、第１乃至第４光学膜は、第１プリズムへ入射した第１波長を有する第１光源からの光束と、第２プリズムへ入射した第２波長を有する第２光源からの光束と、第３プリズムへ入射した第３波長を有する第３光源からの光束とを透過または反射するための所望の光学特性を有している。このため、３つの光源より構成された光学ヘッドにおいて波長分離機能を有するプリズムを一体に構成することができる。その結果、調整工数を大幅に削減するとともに小型薄型化および低消費電力化を可能とし、小型高精度な光学ヘッドを提供し、小型高精度なディスク記録再生装置を得ることができる。
【００２１】
この実施の形態では、前記第１乃至前記第４プリズムは、略三角柱形状をしており、前記ビームスプリッタは、前記第１乃至前記第４プリズムの底面と上面と側面の１つとによって形成される略６面体形状をしていることが好ましい。
【００２２】
前記第１光学膜と前記第３光学膜とは、同一平面上に形成され、互いに同一の光学特性を有しており、前記第２光学膜と前記第４光学膜とは、同一平面上に形成され、互いに同一の光学特性を有していることが好ましい。
【００２３】
前記第１波長、前記第２波長および前記第３波長は、７５０ｎｍ〜８５０ｎｍ、６００ｎｍ〜７００ｎｍ、４００ｎｍ〜５００ｎｍおよび３００ｎｍ〜４００ｎｍの４種類の波長のうち互いに異なる３種類の波長であることが好ましい。
【００２４】
前記第１光軸と前記第２光軸とは、略直交しており、前記第１光軸と前期第３光軸とは、略１８０度の角度をなしていることが好ましい。
【００２５】
前記第１乃至前記第４光学膜は、入射する光束の波長に応じてその反射率または透過率が変化することが好ましい。
【００２６】
前記第１光学膜および前記第３光学膜は、第１閾値以上の波長を有する光束を透過し、前記第１閾値よりも短い波長を有する光束を反射する光学特性を有しており、前記第２光学膜および前記第４光学膜は、前記第１閾値よりも高い第２閾値以上の波長を有する光束を反射し、前記第２閾値よりも短い波長を有する光束を透過する光学特性を有していることが好ましい。
【００２７】
前記第１乃至前記第４プリズムの少なくとも１つには、光束の略中心部分の光量を減少させるための反射膜が形成されていることが好ましい。
【００２８】
前記反射膜は、帯状、円状および楕円状のいずれかの形状をしていることが好ましい。
【００２９】
前記ビームスプリッタには、前記ビームスプリッタから出射する光束の光束径を制限するための光束径制限膜が形成されていることが好ましい。
【００３０】
前記第１乃至前記第４プリズムは、ガラス、樹脂および透明なセラミックから選択される少なくとも１つによって構成されていることが好ましい。
【００３１】
前記第１乃至前記第３光源から出射した光束を平行光に変換するために設けられたコリメートレンズをさらに具備しており、前記コリメートレンズは、前記第４プリズムと貼り合わせられるように設けられていることが好ましい。
【００３２】
前記第１乃至前記第３光源から出射した光束を平行光に変換するために設けられたコリメートレンズをさらに具備しており、前記コリメートレンズは、前記第１光源と前記第１プリズムとの間、前記第２光源と前記第２プリズムとの間および前記第３光源と前記第３プリズムとの間に配置されていることが好ましい。
【００３３】
前記第１ないし前記第３プリズムは、前記光源が有する非点収差をキャンセルするように形成された入射面を有しており、前記第４プリズムは、前記光源が有する前記非点収差をキャンセルするように形成された出射面を有していることが好ましい。
【００３４】
以下、図面を参照して本発明の実施の形態を説明する。
【００３５】
（実施の形態１）
図１は実施の形態１における光学ヘッド１００の一例を示す概略図であり、図２は波長分離プリズム２２０の構成の一例を示す図である。図３は実施の形態１における光学ヘッド１００の波長分離手段となる波長分離プリズム２２０と光源１〜３の構成の一例を示す概略図である。図４は実施の形態１における波長分離膜の膜特性を示すグラフである。図５は実施の形態１における光学ヘッド１００に設けられた光検出器１５の一例を示す概略図である。
【００３６】
図１〜図５を参照すると、１は７５０ｎｍ〜８５０ｎｍの光束を発光する光
源である半導体レーザ、２は６００ｎｍ〜７００ｎｍの光束を発光する光源である半導体レーザ、３は４００ｎｍ〜５００ｎｍの光束を発光する光源である半導体レーザである。
【００３７】
２２０は波長分離プリズム（またはビームスプリッタとも言う）であり、その具体的な構成は例えば図２に示すように、ガラス、樹脂または透明なセラミックによって構成された三角柱のプリズム（三角プリズムと称す）２５、２６、２７および２８の４つの３角柱の頂角を互い向き合わせて、隣接する三角プリズム２５〜２８の側面の間に波長分離膜２９、３０、３１および３２をそれぞれ配置した状態で矢印の方向（隣接する三角プリズム２５〜２８の頂角を形成する側面がより近接する方向）に向かって加圧し、頂角を含む２面を互いに光学的に接着して形成して略６面体としたものである。
【００３８】
波長分離膜３０は三角プリズム２５および２６のどちらに形成されていてもかまわない。同様に、波長分離膜３１は三角プリズム２６および２７のどちらに形成されていてもかまわないし、波長分離膜３２は三角プリズム２７および２８のどちらに形成されていてもかまわない。また、波長分離膜２９は三角プリズム２８および２５のどちらに形成されていてもかまわない。
【００３９】
実施の形態１では波長分離膜２９と３１とは互いに同一の光学特性を有しており、波長分離膜３０と３２とは互いに同一の光学特性を有している。つまり、加圧した後において、波長分離膜２９および３１は同一平面状に位置し、かつ波長分離膜３０および３２は同一平面状に位置し、これら同一平面状に位置する波長分離膜２９および３１の光学特性、波長分離膜３０および３２の光学特性をそれぞれ同一の特性としている。
【００４０】
図４における曲線Ｃ１に示すように、波長分離膜３０および３２は略７００ｎｍよりも長い波長を有する光束を反射し、略７００ｎｍ以下の短い波長を有する光束を透過する膜特性となっている。また図４における曲線Ｃ２に示すように、波長分離膜２９および３１は略５００ｎｍよりも長い波長の光束を透過し、略５００ｎｍ以下の波長の光束を反射する膜特性となっている。このとき、波長分離膜２９および３１は、いわゆる赤外光となる略７５０ｎｍから８５０ｎｍの波長の光束と、赤色光となる略６００ｎｍから７００ｎｍの波長の光束を透過する構成となっている。
【００４１】
再び図１を参照すると、８はコリメートレンズ、１０は偏向分離膜９を有する偏光ビームスプリッタ、１１はλ／４板、１２は対物レンズ、１３は情報記録媒体、１４は非点収差を発生する検出レンズ、１５はサーボ信号およびＲＦ信号を検出する光検出器である。
【００４２】
半導体レーザ１〜３は略６面体をなすビームスプリッタ２２０において波長分離膜２９〜３２を設けた面（または三角プリズム２５〜２８における頂角を形成する側面）に直交する平面上にその発光点が位置し、半導体レーザ１の光軸と半導体レーザ２の光軸とは９０度の角度をなし、半導体レーザ２の光軸と半導体レーザ３の光軸とは９０度の角度をなすように配置されている。
【００４３】
また図１において１６と１７とは検出レンズ１４によって発生した非点収差による前側焦点と後側焦点とであり、光検出器１５に形成された受光面１５ａは図１に示すＺ方向に沿って位置する前側焦点１６と後側焦点１７との略中間に位置している。
【００４４】
図５を参照すると、１８、１９、２０および２１は光検出器１５の受光面１５ａに配置された受光領域、２２は受光領域上に形成された光スポットである。
受光領域１８、１９、２０および２１において受光された光の光量を加算器２３によって全て加算することでＲＦ信号を検出する。また、受光領域１８および１９において受光された光の光量を加算した信号と、受光領域２０および２１において受光された光の光量を加算した信号とを減算器２４で差動をとることでいわゆる非点収差法によるフォーカスエラー信号の検出が可能となる。また、受光領域１９および２０において受光された光の光量を加算した信号と、受光領域１８および２１において受光された光の光量を加算した信号とを減算器２５０で差動をとることでいわゆるプッシュプル法によるトラッキングエラー信号の検出が可能となる。
【００４５】
図６（ａ）〜図６（ｃ）は検出レンズ１４によって光検出器１５の受光面１５ａ上に形成された光スポットの形状を示した図である。図６（ａ）は情報記録媒体１３と対物レンズ１２とが近づいた状態における光スポット２２を示しており、図６（ｃ）は情報記録媒体１３と対物レンズ１２とが遠ざかった状態における光スポット２２を示している。また、図６（ｂ）は図６（ａ）と図６（ｃ）の略中間の状態を示しており、ジャストフォーカスの状態における光スポット２２を示している。
【００４６】
以上のように構成された実施の形態１に係る光学ヘッド１００の動作を説明する。
【００４７】
半導体レーザ１から発せられた７５０ｎｍ〜８５０ｎｍの光束（赤外光）は、波長分離膜３０および３２によって反射されるとともに、波長分離膜３１を透過し、波長分離プリズム２２０から出射した発散光束はコリメートレンズ８に入射しＣＤの再生あるいはＣＤ−Ｒの記録のために使用される。このとき波長分離膜２９の特性はいかなる特性でも半導体レーザ１を用いた動作には関係はない。
【００４８】
半導体レーザ２から発せられた６００ｎｍ〜７００ｎｍの光束（赤色光）は波長分離膜３０および３２を透過するとともに、波長分離膜２９および３１を透過し、波長分離プリズム２２０から出射した発散光束はコリメートレンズ８に入射しＤＶＤ−ＲＯＭの再生およびＤＶＤ−ＲＡＭ、ＤＶＤ−Ｒ、ＤＶＤ＋Ｒ、ＤＶＤ−ＲＷ、ＤＶＤ＋ＲＷ等の記録のために使用される。
【００４９】
また半導体レーザ３から発せられた４００ｎｍ〜５００ｎｍの光束（青色光）は波長分離膜２９および３１によって反射されるとともに、波長分離膜３０を透過し、波長分離プリズム２２０から出射した発散光束はコリメートレンズ８に入射し、ブルーレイディスクの記録再生等のために使用される。このとき波長分離膜３０の特性はいかなる特性でも半導体レーザ３を用いた動作には関係はない。
【００５０】
したがって、図３および図４に示すように、波長分離膜２９、３０、３１および３２の膜特性は、波長分離膜３０と３２、波長分離膜２９と３１との対角線上の２種類の膜特性とする事が可能となる。
【００５１】
半導体レーザ１〜３のいずれかより発生された発散光束はコリメートレンズ８に入射して平行光束に変換され、偏光分離膜９を有する偏光ビームスプリッタ１０を透過してλ／４板１１に入射する。半導体レーザ１〜３の偏光方向は図１の紙面に平行な方向（図中矢印方向）に設定してあり偏光分離膜９を透過する設定となっている。λ／４板１１に入射した直線偏光の平行光束は円偏光となり対物レンズ１２に入射して情報記録媒体１３上に直径１ミクロン以下の光スポットを形成する。情報記録媒体１３からの反射光束は逆の経路をたどりλ／４板１１に入射する。
【００５２】
λ／４板１１に入射するときは円偏光であるが、λ／４板１１を透過することにより紙面に直交する方向に沿って偏光する直線偏光となり、偏光分離膜９によって反射されて検出レンズ１４に入射する。検出レンズ１４の第１面は凸レンズとなっており、第２面はいわゆるシリンドリカルレンズであり紙面に平行な面に対して略４５度の角度でシリンドリカル軸が設定されている。このため、非点収差は、シリンドリカル軸の方向と、シリンドリカル軸と直交する方向とに発生する（図３参照）。検出レンズ１４を透過した光束は光検出器１５に入射する。
【００５３】
対物レンズ１２のフォーカスサーボは図７（ａ）に示すように減算器２４から出力されるフォーカスエラー信号Ｓ１（いわゆるＳ時信号）とＧＮＤとの交点ＦＰに収束することとなる。同様に対物レンズ１２のトラッキングエラー信号Ｓ２は図７（ｂ）に示すように減算器２５０から出力されるトラッキングエラー信号Ｓ２とＧＮＤとの交点ＴＰに収束することとなる。また、ＲＦ信号は情報記録媒体１３からの反射光量の変化を検出することで得ることができる。そして、加算器２３からの出力信号に基づいて大小の演算を行うこととなる。
【００５４】
以上のように実施の形態１によれば、４つの３角プリズム２５、２６、２７および２８の頂角を互いに向き合わせて紫外線硬化接着剤などによって頂角を含む２面を光学的に接着し、略６面体の波長分離プリズム２２０を形成するとともに、波長分離プリズム２２０の対角線上において互いに交差する４つの波長分離膜２９、３０、３１および３２のうち波長分離膜２９と３１との膜特性および波長分離膜３０と３２との膜特性をそれぞれ同じにすることにより、波長分離膜２９、３０、３１および３２を有したビームスプリッタ２２０を構成することが可能となる。このため、互いに波長が異なる３種類の半導体レーザ１、２および３の全てに対して対応できる波長分離機能を有したビームスプリッタ２２０を実現することが可能となり、波長分離機能の小型および薄型化が可能となるとともに、光ヘッドおよびディスク記録再生装置の小型薄型化が可能となる。
【００５５】
なお実施の形態１において、集光系はコリメートレンズ８を用いたいわゆる無限光学構成としたが、コリメートレンズ８を有さない有限光学構成としてもよい。
【００５６】
また、コリメートレンズ８はビームスプリッタ２２０と半導体レーザ１〜３の間にそれぞれ位置する構成としてもよい。
【００５７】
また、図８に示すようにコリメートレンズ８はビームスプリッタ２２０の出射面に張り合わせた構成にしてもよいし、樹脂によって三角プリズム２６とコリメートレンズ８を一体に成型する構成としてもよい。
【００５８】
さらに図９に示すようにビームスプリッタ２２０の入射面側にコリメートレンズ８を配置し、三角プリズム２５、２７および２８とコリメートレンズ８とが一体に構成または成型されていてもよい。三角プリズム２５、２６、２７および２８とコリメートレンズ８とを一体に構成または成型することによって大幅な小型化および低コスト化が可能となる。
【００５９】
また、実施の形態１では波長分離膜の特性は、波長分離膜２９と３１、波長分離膜３０と３２のそれぞれ２種類としたが、波長分離膜２９は７５０ｎｍ〜８５０ｎｍの光束（赤外光）に関しては、いかなる特性であってもよいので、波長分離膜２９と３１とは互いに異なる膜特性であってもよいし、波長分離膜３２は４００ｎｍ〜５００ｎｍの光束（青色光）に関してはいかなる特性であってもよいので、波長分離膜３０と３２とは互いに異なる光学特性であってもよい。従って波長分離膜２９、３０、３１および３２の種類は２種類から４種類のいずれでもよい。
【００６０】
また、実施の形態１では４つの３角プリズム２５、２６、２７および２８の頂角を向き合わせて張り合わせる構成としたが、本発明はこれに限定されない。図１０に示すように、４角柱を互いに張り合わせて破線に沿ってカットする構成としてもよい。
【００６１】
実施の形態１では、半導体レーザ１、２および３の波長はそれぞれ７５０ｎｍ〜８５０ｎｍ（赤外光）、６００ｎｍ〜７００ｎｍ（赤色光）、４００ｎｍ〜５００ｎｍ（青色光）の３種類としたが、３００ｎｍ〜４００ｎｍ（緑色光）を含めた４種類のうち、任意の３種類の半導体レーザを用い、その半導体レーザの波長にあわせて、波長分離プリズム２２０の波長分離膜２９〜３２の特性を変化させてもよい。
【００６２】
さらに図１１に示すように、半導体レーザ１、２および３のそれぞれの位置を、半導体レーザ１および３が隣り合い、半導体レーザ３および２が隣り合い、半導体レーザ１および２が向かい合うように変えて、波長分離膜２９および３２の特性Ｃ１および波長分離膜２９および３１の特性Ｃ３を図１２に示すように設定することも可能であることはいうまでもない。
【００６３】
同様に、図１３に示すように、半導体レーザ１および３が隣り合い、半導体レーザ１および２が隣り合い、半導体レーザ２および３が向かい合うように、半導体レーザ１、２および３のそれぞれの位置を変えて、波長分離膜２９および３１の特性Ｃ３と波長分離膜３０および３２の特性Ｃ４とを図１４に示すように設定することも可能であるし、半導体レーザは他のどの位置に構成しても問題ない。
【００６４】
図１５は、波長分離プリズムの変形例の構成を説明するための図である。プリズムは、三角柱形状の替わりに四角柱形状であってもよい。波長分離プリズム２２０Ａは、略四角柱形状をしたプリズム２５Ａ、２６Ａ、２７Ａおよび２８Ａを含んでいる。半導体レーザ３に対向するように配置されたプリズム２５Ａは、非点収差をキャンセルするように半導体レーザ３の光軸に垂直な方向に対して角度θだけ傾斜した入射面２５Ｂを有している。半導体レーザ１に対向するように配置されたプリズム２７Ａは、非点収差をキャンセルするように半導体レーザ１の光軸に垂直な方向に対して角度θだけ傾斜した入射面２７Ｂを有している。半導体レーザ２に対向するように配置されたプリズム２８Ａは、非点収差をキャンセルするように半導体レーザ２の光軸に垂直な方向に対して角度θだけ傾斜した入射面２８Ｂを有している。プリズム２６Ａは、非点収差をキャンセルするように半導体レーザ２の光軸に垂直な方向に対して角度θだけ傾斜した出射面２６Ｂを有している。このように四角柱形状をしたプリズムによって波長分離プリズムを構成すると、非点収差をキャンセルすることができる。
【００６５】
（実施の形態２）
次に実施の形態２について図１６を参照しながら説明する。図１６は実施の形態２に係る光学ヘッドの構成の一例を説明するための図である。実施の形態２に係る光学ヘッドは、波長分離プリズム２２０Ｂを備えている。実施の形態１との相違点は、波長分離プリズム２２０Ｂに設けられた各プリズム２５、２６、２７および２８において、遮光または透過率を減少させる光学フィルター３３を光軸の略中心に設けた点である。実施の形態２では、光学フィルター３３は出射面側および、入射面側にそれぞれ設けた構成を図示している。しかしながら、本発明はこれに限定されない。光学フィルター３３は出射面側のみか、任意の入射面側に位置する構成としてもよい。光学フィルター３３の形状は円形状かまたは楕円形状とする。
【００６６】
この構成により三角プリズム２５、２６、２７および２８を張り合わせて構成したビームスプリッタ２２０Ｂの三角柱の先端で波長分離膜２９、３０、３１および３２が不連続となっていることによって波面収差が発生することを抑えることができるとともに、いわゆる超解像効果によって情報記録媒体１３上の光スポット径を小さくすることが可能となる。従って、光学ヘッドのより一層の高性能化およびディスク記録再生装置のより一層の高性能化が可能となる。
【００６７】
（実施の形態３）
次に実施の形態３について、図１７（ａ）、図１７（ｂ）および図１８を参照しながら説明する。なお、図１７（ｂ）において半導体レーザ２および３は図示していない。
【００６８】
実施の形態３に係る光学ヘッドは、波長分離プリズム２２０Ｃを備えている。実施の形態１および実施の形態２との相違点は、波長分離プリズム２２０Ｃに設けられた三角プリズム２６の出射側の面の略中心付近に帯状に反射膜３４（または透過率低減フィルター）を設け、三角プリズム２５、２７および２８の入射側の面の略中心付近に帯状に反射膜３５（または透過率低減フィルター）を設けた点である。このとき反射膜３４および３５は、三角プリズム２５〜２８の頂角を有する辺と平行であってかつ帯状に形成されている。
【００６９】
図１８は、実施の形態３に係る光軸中心からの距離と光強度との間の関係を示すグラフである。曲線Ｒ１は広がり角が大きい側における光強度を示しており、曲線Ｒ３は広がり角が小さい側における光強度を示している。曲線Ｒ２は、反射膜３４によってＲＩＭ強度を補正したときの光強度を示している。
【００７０】
図１８に示すように、半導体レーザ１、２および３において広がり角が小さい側の中心付近の曲線Ｒ３によって示される光量を曲線Ｒ２に示すように低下させることによって、対物レンズ１２に入射する光束のＲＩＭ強度（対物レンズ中心の光強度に対する対物レンズ有効径部の光強度の差）を低くすることができる。このため、情報記録媒体１３上の光スポットを小さくすることが可能となり、より一層高密度記録対応の光学ヘッドを実現することが可能となる。このとき反射膜３４を出射側に設けてもいいし、入射側にそれぞれ反射膜３５を設けてもよい。
【００７１】
また、三角プリズム２５、２６、２７および２８の三角柱の先端において波長分離膜２９、３０、３１および３２が不連続となっていることによる波面収差の発生を抑え、収差の少ない良好な光スポットを実現し、より一層高密度記録に対応することができる光学ヘッドを実現することが可能となる。
【００７２】
（実施の形態４）
次に実施の形態４について図１９、図２０（ａ）、図２０（ｂ）および図２１を参照しながら説明する。実施の形態４に係る光学ヘッド１００Ａは、波長分離プリズム２２０Ｄを備えている。実施の形態１、２および３との相違点は、波長分離プリズム２２０Ｄに各半導体レーザ１、２および３の波長に対応した反射膜３４、３５および３６を設け、波長分離プリズム２２０Ｄによって半導体レーザ毎に開口制限を行った点である。反射膜３４は、波長分離膜３０および３２の外側の一部を覆うように形成されており、図２１に示す膜特性Ｃ６を有している。反射膜３６は、波長分離膜２９および３１の外側の一部を覆うように形成されており、図２１に示す膜特性Ｃ８を有している。反射膜３５は、三角プリズム２６の出射面の外側の一部を覆うように形成されており、図２１に示す膜特性Ｃ７を有している。
【００７３】
この構成により対物レンズ１２に入射する光束径を波長分離プリズム２２０Ｄによって制限することができる。このため、半導体レーザの波長に応じた開口制限を対物レンズによって行う必要がなくなるとともに、不要な光束がコリメートレンズ８側に到達しない。従って、迷光を大幅に低減することが可能となり、より一層高精度な光学ヘッドおよびディスク記録再生装置を実現できる。
【００７４】
（実施の形態５）
次に実施の形態５について図２２（ａ）および図２２（ｂ）を参照しながら説明する。実施の形態５に係る光学ヘッド１００Ｂは、波長分離プリズム２２０Ｅを備えている。実施の形態１、２、３および４との相違点は波長分離プリズム２２０Ｅを三角プリズム３７、３８および３９と波長分離膜４０および４１によって構成した点である。図２２（ａ）は光学ヘッド１００Ｂの構成を示したものであり、図２２（ｂ）は波長分離膜４０の膜特性Ｃ９および波長分離膜４１の膜特性Ｃ１０を示したグラフである。この構成により、前述した実施の形態１、２、３および４のように波長分離膜の中央部分が不連続となっていないため、小型かつ収差性能に優れた光学ヘッドを実現できるとともに小型かつ高性能なディスク記録再生装置を実現できる。
【００７５】
なお、上述の実施の形態１〜５では光源と受光素子とが別体のものを例にして説明をしたが、これに限定をされる必要は無く、各波長の光源とこれに対応する受光素子とを一体にしたものを用いても構わない。
【００７６】
本実施の形態に係る光学ヘッドは、互いに波長の異なる３つの光源と、前記光源からの光束を透過または反射するビームスプリッタを有し、前記ビームスプリッタは４つの三角柱のプリズムの頂角を互いに向き合わせたときに、隣接する三角柱のプリズムの４つの側面間に所望の光学特性を有する光学膜が配置されるように前記４つの三角柱のプリズムを光学的に接着して略６面体としたものであってかつ、前記４つの三角柱の側面であって、前記光学膜を設けた面と略直交する平面内に前記３つの光源の発光点がそれぞれ位置するようにした。このため、ビームスプリッタにより、異なる波長の３つの光源の波長分離が可能となる。このため、波長を選択するための構成が従来に比べ小型化できるようになり、光学ヘッドおよびディスク記録再生装置の小型薄型化が可能となる。
【００７７】
また、ビームスプリッタが１つとなることより組立工数の大幅削減、組立精度、環境安定性の大幅向上により高精度、高信頼性かつ低コストの光学ヘッドおよびディスク記録再生装置を実現することが可能となる。
【００７８】
また、前記４つの三角柱のプリズムの頂角を互いに向き合わせて光学的に接着し、略６面体のビームスプリッタとしたときに、前記三角柱のプリズムの４つの側面間に形成される４つ光学膜のうち、同一平面に位置する２つの光学膜の光学特性を同一としたので、ビームスプリッタにより、異なる波長の３つの光源の波長分離が可能となる。このため、波長を選択するための構成が従来に比べて小型化できるようになり、光学ヘッドおよびディスク記録再生装置の小型薄型化が可能となる。また、ビームスプリッタが１つとなることより組立工数の大幅削減、組立精度、環境安定性の大幅向上により高精度、高信頼性かつ低コストの光学ヘッドおよびディスク記録再生装置を実現することが可能となる。
【００７９】
また、前記光源は、７５０ｎｍ〜８５０ｎｍ、６００ｎｍ〜７００ｎｍ、４００ｎｍ〜５００ｎｍ、３００ｎｍ〜４００ｎｍの４種類のうち互いに異なる３種類の波長とすれば、対応する３つの波長に対する光学ヘッドを構成することが可能となる。
【００８０】
前記光源は略６面体をなす前記ビームスプリッタにおいて、前記光学膜を設けた面と直交する平面内において、互いに略９０度または１８０度の光軸角度を有して配置されるので、対応する３つの波長に対する光学ヘッドを構成することが可能となる。
【００８１】
また、前記ビームスプリッタに設けた光学膜は、前記光学膜を通過する光の波長に応じて反射率または透過率が変化する特性であって、あらかじめ規定された波長の光が透過または反射するように構成すれば、異なる波長の３つの光源の波長分離が可能となる。
【００８２】
また、前記略６面体をなすビームスプリッタにおいて、４つの三角柱のプリズムの頂角を互いに向き合わせたときに、隣接する三角柱のプリズムの４つの側面間にそれぞれ設けた４つの光学膜の光学特性は２種類から４種類とすれば、異なる波長の３つの光源の波長分離が可能となる。
【００８３】
また、前記略６面体をなすビームスプリッタにおいて、４つの三角柱のプリズムの頂角を互いに向き合わせたときに、隣接する三角柱のプリズムの４つの側面間に設けた４つの光学膜のうちの少なくとも１つは光学的なフィルター機能を有し、光束の略中心部分を円状、または楕円状に遮光または透過率を減少させれば、三角柱のプリズムの先端で光学膜が不連続となっていることによる波面収差の発生を抑えるとともに、いわゆる超解像効果により記録媒体上に集光する光スポット径を小さくすることが可能となる。
【００８４】
また、前記略６面体をなすビームスプリッタにおいて、４つの三角柱のプリズムの頂角を互いに向き合わせたときに、隣接する三角柱のプリズムの４つの側面間に設けた４つの光学膜のうちの少なくとも１つは光学フィルターの機能を有し、前記光学フィルターの形状は前記三角柱のプリズムの頂角を有する辺と平行であってかつ帯状に遮光または透過率を減少させれば、三角柱のプリズムの先端で光学膜が不連続となっていることによる波面収差の発生をより抑えるとともに、いわゆる超解像効果により記録媒体上に集光する光スポット径をより小さくすることが可能となる。
【００８５】
また、前記略６面体をなすビームスプリッタにおいて、前記光学膜はあらかじめ規定された波長のみ透過または反射する波長分離機能を有するとともに、あらかじめ規定された波長により透過または反射領域が変化する開口制限機能を有するようにすれば、ビームスプリッタを出射した後に、対物レンズに入射する光束径を光学膜で制限することができるため、半導体レーザの波長に応じた開口制限を行うための光学フィルターを用いることなく迷光を大幅に低減することが可能となり、より一層高精度な光学ヘッドを実現できる。
【００８６】
また、前記略６面体をなすビームスプリッタにおいて、前記４つの三角柱のプリズムが、ガラス、樹脂または透明なセラミックより構成すれば、入射する光の透過率を高くしつつ、異なる波長の３つの光源の波長分離が可能となる。
【００８７】
本実施の形態の光学ヘッドは、互いに波長の異なる３つの光源と、前記光源からの光束を透過または反射するビームスプリッタを有し、前記ビームスプリッタは３つの三角柱のプリズムを有し、略３角柱のプリズムの頂角を含む２面と他の２つの略三角柱のプリズムの側面との間に互いに光学特性が異なる光学膜を配置して光学的に接着することにより略６面体をなすように形成されたものであり、前記光学膜と直交する平面内に前記３つの光源の発光点が位置するように前記３つの光源を配置するように構成した。このため、ビームスプリッタにより、異なる波長の３つの光源の波長分離が可能となるため、波長を選択するための構成が従来に比べ小型化できるようになり、光学ヘッドおよびディスク記録再生装置の小型薄型化が可能となる。また、ビームスプリッタが１つとなることより組立工数の大幅削減、組立精度、環境安定性の大幅向上により高精度、高信頼性かつ低コストの光学ヘッドおよびディスク記録再生装置を実現することが可能となる。
【産業上の利用可能性】
【００８８】
本発明は、ディスク状の記録媒体に光スポットを投影して、光学的に情報を記録再生するディスク記録再生装置に用いる光学ヘッドに適用することができる。
【図面の簡単な説明】
【００８９】
【図１】実施の形態１における光学ヘッドの光路の概略図である。
【図２】実施の形態１における波長分離プリズムの構成図である。
【図３】実施の形態１における光学ヘッドの波長分離プリズムの概略図である。
【図４】実施の形態１における波長分離膜の膜特性の概略図である。
【図５】実施の形態１における光学ヘッドの光検出器の概略図である。
【図６】（ａ）〜（ｃ）は、実施の形態１における受光素子上の非点収差の概略図である。
【図７】（ａ）は実施の形態１における光学ヘッドのフォーカス誤差信号を示すグラフであり、（ｂ）はトラッキング誤差信号の概略図である。
【図８】実施の形態１における光学ヘッドのコリメートレンズと波長分離プリズムの概略図である。
【図９】実施の形態１における光学ヘッドの光学ヘッドのコリメートレンズと波長分離プリズムの概略図である。
【図１０】実施の形態１における光学ヘッドの波長分離プリズムの製造方法の概略図である。
【図１１】実施の形態１における光学ヘッドの波長分離プリズムの概略図である。
【図１２】実施の形態１における波長分離膜の膜特性の概略図である。
【図１３】実施の形態１における光学ヘッドの波長分離プリズムの概略図である。
【図１４】実施の形態１における波長分離膜の膜特性の概略図である。
【図１５】実施の形態１における波長分離プリズムの変形例の構成を説明するための図である。
【図１６】実施の形態２における光学ヘッドの構成図である。
【図１７】（ａ）は、実施の形態３における波長分離プリズムの概略図であり、（ｂ）はその斜視図である。
【図１８】実施の形態３における光強度の概念図である。
【図１９】実施の形態４における光学ヘッドの光路の概略図である。
【図２０】（ａ）は実施の形態４における波長分離プリズムの構成図であり、（ｂ）はその分解図である。
【図２１】実施の形態４における波長分離膜の膜特性の概略図である。
【図２２】（ａ）は実施の形態４における波長分離プリズムの構成を示す図であり、（ｂ）はその膜特性の概略図である。
【図２３】従来の光学ヘッドの光路の概略図である。
【図２４】従来の光学ヘッドに設けられた光検出器の概略図である。
【図２５】（ａ）〜（ｃ）は、従来の光学ヘッドに設けられた受光素子上の非点収差の概略図である。
【図２６】従来の光学ヘッドに設けられた波長分離膜の膜特性の概略図である。
【図２７】（ａ）は従来の光学ヘッドのフォーカス誤差信号を示すグラフであり、（ｂ）はそのトラッキング誤差信号を示すグラフである。
【符号の説明】
【００９０】
１，２，３  半導体レーザ
４  波長分離膜
５  プリズム
６  波長分離膜
７  プリズム
８  コリメートレンズ
９  偏向分離膜
１０  偏光ビームスプリッタ
１１  λ／４板
１２  対物レンズ
１３  情報記録媒体
１４  検出レンズ
１５  光検出器
１５ａ  受光面
１６  前側焦点
１７  後側焦点
１８，１９，２０，２１  受光領域
２３  加算器
２４，２５０  減算器
２５，２６，２７，２８  三角プリズム
２９，３０，３１，３２  波長分離膜
３３  光学フィルター
３４，３５，３６  反射膜
３７，３８，３９  三角プリズム
４０，４１  波長分離膜
２２０  波長分離プリズム
【図１】
2004234818.tif 000003
【図２】
2004234818.tif 000004
【図３】
2004234818.tif 000005
【図４】
2004234818.tif 000006
【図５】
2004234818.tif 000007
【図６】
2004234818.tif 000008
【図７】
2004234818.tif 000009
【図８】
2004234818.tif 000010
【図９】
2004234818.tif 000011
【図１０】
2004234818.tif 000012
【図１１】
2004234818.tif 000013
【図１２】
2004234818.tif 000014
【図１３】
2004234818.tif 000015
【図１４】
2004234818.tif 000016
【図１５】
2004234818.tif 000017
【図１６】
2004234818.tif 000018
【図１７】
2004234818.tif 000019
【図１８】
2004234818.tif 000020
【図１９】
2004234818.tif 000021
【図２０】
2004234818.tif 000022
【図２１】
2004234818.tif 000023
【図２２】
2004234818.tif 000024
【図２３】
2004234818.tif 000025
【図２４】
2004234818.tif 000026
【図２５】
2004234818.tif 000027
【図２６】
2004234818.tif 000028
【図２７】
2004234818.tif 000029